(57)【要約】【課題】モードとＧＩ比とを特定するため回路規模を低減したい。【解決手段】ガードインターバルと有効シンボルとによって形成されるＯＦＤＭシンボルであって、かつモードとＧＩ比とがそれぞれ複数種類規定されたＯＦＤＭシンボルが順次受信される。自己相関部３０は、順次受信したＯＦＤＭシンボルに対して、複数種類規定されたモードのそれぞれに応じた遅延を実行しながら、遅延量に応じた複数種類の自己相関値であって、かつＯＦＤＭシンボルの自己相関値を順次導出する。後段処理部３２は、順次導出した複数種類の自己相関値のそれぞれに対して、ピークを順次検出する。また、後段処理部３２は、順次検出したピークのタイミングのそれぞれと、複数種類規定されたモードとＧＩ比との組合せによる複数種類のＯＦＤＭシンボルの期間とをもとに、ＯＦＤＭシンボルに対するモードとＧＩ比とを特定する。【選択図】図３
2008085690.tif 000002
【特許請求の範囲】
【請求項１】
ガードインターバルと有効シンボルとによって形成されるＯＦＤＭシンボルであって、かつガードインターバルの期間と有効シンボルの期間とがそれぞれ複数種類規定されたＯＦＤＭシンボルを順次受信する受信部と、
前記受信部において順次受信したＯＦＤＭシンボルに対して、複数種類規定された有効シンボルの期間のそれぞれに応じた遅延を実行しながら、遅延量に応じた複数種類の自己相関値であって、かつＯＦＤＭシンボルの自己相関値を順次導出する導出部と、
前記導出部において順次導出した複数種類の自己相関値のそれぞれに対して、ピークを順次検出する検出部と、
前記検出部において順次検出したピークのタイミングのそれぞれと、複数種類規定されたガードインターバルの期間と有効シンボルの期間との組合せによる複数種類のＯＦＤＭシンボルの期間とをもとに、前記受信部において順次受信したＯＦＤＭシンボルに対するガードインターバルの期間と有効シンボルの期間とを特定する特定部と、
前記特定部において特定したガードインターバルの期間と有効シンボルの期間とをもとに、前記受信部において順次受信したＯＦＤＭシンボルを処理する処理部と、
を備えることを特徴とする受信装置。
【請求項２】
前記検出部は、連続した複数の区間を規定しており、複数の区間のそれぞれに含まれる自己相関値の平均値を導出する手段と、平均値としきい値を比較し、より新しいタイミングに対応した区間において、平均値がしきい値以下になり、残りの区間において、平均値がしきい値より大きくなれば、ピークの検出とする手段を含むことを特徴とする請求項１に記載の受信装置。
【請求項３】
前記検出部は、複数の区間のそれぞれに対して異なった値のしきい値を規定しており、より新しいタイミングに対応した区間に近づくほどしきい値が小さくなることを特徴とする請求項２に記載の受信装置。
【請求項４】
前記特定部は、
前記検出部においてピークが検出されると、カウンタ値の積算が開始されるカウンタと、
積算が開始されたカウンタ値に対して、複数種類のＯＦＤＭシンボルの期間のそれぞれに応じたピークが出現すべきタイミングを順次予想し、順次予想したタイミングと、順次検出したピークのタイミングとの近さをもとに、前記受信部において受信したＯＦＤＭシンボルに対するガードインターバルの期間と有効シンボルの期間とを特定する比較部と、
を備えることを特徴とする請求項１から３のいずれかに記載の受信装置。
【請求項５】
ガードインターバルと有効シンボルとによって形成されるＯＦＤＭシンボルであって、かつガードインターバルの期間と有効シンボルの期間とがそれぞれ複数種類規定されたＯＦＤＭシンボルを順次受信するステップと、
順次受信したＯＦＤＭシンボルに対して、複数種類規定された有効シンボルの期間のそれぞれに応じた遅延を実行しながら、遅延量に応じた複数種類の自己相関値であって、かつＯＦＤＭシンボルの自己相関値を順次導出するステップと、
順次導出した複数種類の自己相関値のそれぞれに対して、ピークを順次検出するステップと、
順次検出したピークのタイミングのそれぞれと、複数種類規定されたガードインターバルの期間と有効シンボルの期間との組合せによる複数種類のＯＦＤＭシンボルの期間とをもとに、順次受信したＯＦＤＭシンボルに対するガードインターバルの期間と有効シンボルの期間とを特定するステップと、
を備えることを特徴とする特定方法。
【発明の詳細な説明】
【技術分野】
【０００１】
本発明は、特定技術に関し、特にＯＦＤＭ信号にて使用されているモードおよびガードインターバル長を特定する特定方法およびそれを利用した受信装置に関する。
【背景技術】
【０００２】
地上波ディジタルテレビジョン放送では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式が使用されている。ＯＦＤＭ変調方式では、複数のサブキャリアが使用されており、複数のサブキャリアにそれぞれ配置された周波数軸上のデータが、ＩＦＦＴ（Ｉｎｖｅｒｓｅ  Ｆａｓｔ  Ｆｏｕｒｉｅｒ  Ｔｒａｎｓｆｏｒｍ）によって時間軸上のデータ（以下、「有効シンボル」という）に変換されてから送信される。ここで、ＩＦＦＴ変換の変換窓の期間が、有効シンボルの期間として規定される。また、遅延波の影響を低減するために、有効シンボルの前段にガードインターバルが付加される。ガードインターバルには、有効シンボルの後部の波形が使用される。
【０００３】
また、ガードインターバルと有効シンボルとの組合せが、ひとつのＯＦＤＭシンボルとして規定される。なお、地上波ディジタルテレビジョン放送において、有効シンボルの期間は、モードと呼ばれるパラメータによって複数種類規定される。また、ガードインターバルの期間もＧＩ比と呼ばれるパラメータによって複数種類規定される。このようなモードとＧＩ比の組合せによって、ＯＦＤＭシンボルの期間も複数種類規定される（例えば、特許文献１参照。）。
【特許文献１】特開２００６−３３０７４号公報
【発明の開示】
【発明が解決しようとする課題】
【０００４】
地上波ディジタルテレビジョン放送の受信装置は、受信したＯＦＤＭシンボルをもとに、使用されているモードとＧＩ比とを特定する。また、受信装置は、特定したモードとＧＩ比とを使用しながら、受信したＯＦＤＭシンボルを復調する。ここで、モードとＧＩ比とを特定するための処理は、一般的にチャンネル選択時つまり番組選択時に実行され、その後のチャンネル受信時には実行されない。そのため、モードとＧＩ比とを特定するための処理回路は、その後のチャンネル受信処理において動作させる必要がない冗長な回路となる。したがって、モードとＧＩ比とを特定するための処理回路に対して、小型であることが要求される。
【０００５】
本発明者はこうした状況を認識して本発明をなしたものであり、その目的は、モードとＧＩ比とを特定するため回路規模を低減する特定技術を提供することである。
【課題を解決するための手段】
【０００６】
上記課題を解決するために、本発明のある態様の受信装置は、ガードインターバルと有効シンボルとによって形成されるＯＦＤＭシンボルであって、かつガードインターバルの期間と有効シンボルの期間とがそれぞれ複数種類規定されたＯＦＤＭシンボルを順次受信する受信部と、受信部において順次受信したＯＦＤＭシンボルに対して、複数種類規定された有効シンボルの期間のそれぞれに応じた遅延を実行しながら、遅延量に応じた複数種類の自己相関値であって、かつＯＦＤＭシンボルの自己相関値を順次導出する導出部と、導出部において順次導出した複数種類の自己相関値のそれぞれに対して、ピークを順次検出する検出部と、検出部において順次検出したピークのタイミングのそれぞれと、複数種類規定されたガードインターバルの期間と有効シンボルの期間との組合せによる複数種類のＯＦＤＭシンボルの期間とをもとに、受信部において順次受信したＯＦＤＭシンボルに対するガードインターバルの期間と有効シンボルの期間とを特定する特定部と、特定部において特定したガードインターバルの期間と有効シンボルの期間とをもとに、受信部において順次受信したＯＦＤＭシンボルを処理する処理部と、を備える。
【０００７】
この態様によると、ガードインターバルの期間と有効シンボルの期間を特定するために、検出した自己相関値のピークのタイミングと、予め定められた複数種類のＯＦＤＭシンボルの期間とを使用するので、特定のための回路規模を低減できる。
【０００８】
検出部は、連続した複数の区間を規定しており、複数の区間のそれぞれに含まれる自己相関値の平均値を導出する手段と、平均値としきい値を比較し、より新しいタイミングに対応した区間において、平均値がしきい値以下になり、残りの区間において、平均値がしきい値より大きくなれば、ピークの検出とする手段を含んでもよい。この場合、複数の区間において平均値としきい値との比較を行うことによって、ピークを検出するので、検出精度を向上できる。
【０００９】
検出部は、複数の区間のそれぞれに対して異なった値のしきい値を規定しており、より新しいタイミングに対応した区間に近づくほどしきい値が小さくなってもよい。この場合、区間毎に異なった値のしきい値を規定するので、ピーク検出の精度を向上できる。
【００１０】
特定部は、検出部においてピークが検出されると、カウンタ値の積算が開始されるカウンタと、積算が開始されたカウンタ値に対して、複数種類のＯＦＤＭシンボルの期間のそれぞれに応じたピークが出現すべきタイミングを順次予想し、順次予想したタイミングと、順次検出したピークのタイミングとの近さをもとに、受信部において受信したＯＦＤＭシンボルに対するガードインターバルの期間と有効シンボルの期間とを特定する比較部と、を備えてもよい。この場合、ガードインターバルの期間と有効シンボルの期間を特定するために、カウンタ値を使用するので、回路規模を低減できる。
【００１１】
本発明の別の態様は、特定方法である。この方法は、ガードインターバルと有効シンボルとによって形成されるＯＦＤＭシンボルであって、かつガードインターバルの期間と有効シンボルの期間とがそれぞれ複数種類規定されたＯＦＤＭシンボルを順次受信するステップと、順次受信したＯＦＤＭシンボルに対して、複数種類規定された有効シンボルの期間のそれぞれに応じた遅延を実行しながら、遅延量に応じた複数種類の自己相関値であって、かつＯＦＤＭシンボルの自己相関値を順次導出するステップと、順次導出した複数種類の自己相関値のそれぞれに対して、ピークを順次検出するステップと、順次検出したピークのタイミングのそれぞれと、複数種類規定されたガードインターバルの期間と有効シンボルの期間との組合せによる複数種類のＯＦＤＭシンボルの期間とをもとに、順次受信したＯＦＤＭシンボルに対するガードインターバルの期間と有効シンボルの期間とを特定するステップと、を備える。
【００１２】
検出ステップは、連続した複数の区間を規定しており、複数の区間のそれぞれに含まれる自己相関値の平均値を導出し、平均値としきい値を比較し、より新しいタイミングに対応した区間において、平均値がしきい値以下になり、残りの区間において、平均値がしきい値より大きくなれば、ピークの検出としてもよい。検出するステップは、複数の区間のそれぞれに対して異なった値のしきい値を規定しており、より新しいタイミングに対応した区間に近づくほどしきい値が小さくなってもよい。
【００１３】
特定するステップは、ピークが検出されると、カウンタ値の積算を開始し、積算が開始されたカウンタ値に対して、複数種類のＯＦＤＭシンボルの期間のそれぞれに応じたピークが出現すべきタイミングを順次予想し、順次予想したタイミングと、順次検出したピークのタイミングとの近さをもとに、受信したＯＦＤＭシンボルに対するガードインターバルの期間と有効シンボルの期間とを特定してもよい。
【００１４】
なお、以上の構成要素の任意の組合せ、本発明の表現を方法、装置、システム、記録媒体、コンピュータプログラムなどの間で変換したものもまた、本発明の態様として有効である。
【発明の効果】
【００１５】
本発明によれば、モードとＧＩ比とを特定するため回路規模を低減できる。
【発明を実施するための最良の形態】
【００１６】
本発明を具体的に説明する前に、概要を述べる。本発明の実施例は、地上波ディジタルテレビジョン放送の無線信号を受信する受信装置に関する。無線信号は、ＯＦＤＭシンボルの連続によって構成されている。前述のごとく、ＯＦＤＭシンボルは、ガードインターバルと有効シンボルを含んでいるが、ガードインターバルの期間および有効シンボルの期間には、複数種類の規定のうちのいずれかが使用されている。なお、使用されているガードインターバルの期間および有効シンボルの期間は、受信装置にとって未知である。受信装置は、受信したＯＦＤＭシンボルから、ガードインターバルの期間および有効シンボルの期間を特定し、特定したガードインターバルの期間および有効シンボルの期間をもとに、ＯＦＤＭシンボルを復調する。ガードインターバルの期間および有効シンボルの期間を特定するための回路規模が小さくなるように、本実施例に係る受信装置は以下のように構成される。
【００１７】
受信装置は、受信したＯＦＤＭシンボルと遅延したＯＦＤＭシンボルに対して自己相関値を順次導出する。なお、ＯＦＤＭシンボルの遅延量は、複数のモードのそれぞれに対応した値に設定される。そのため、複数のモードの数に応じた自己相関値が順次導出される。受信装置は、複数のモードのそれぞれに対して、所定の長さの連続した３つの区間のそれぞれにおいて、自己相関値の平均値（以下、自己相関値の平均値も「自己相関値」ということがあるが明記しないものとする）と、しきい値とを比較することで、自己相関の立ち上がりを検出する。この自己相関の立ち上がりは、複数シンボルにわたって検出される。
【００１８】
また、受信装置では、いずれかのモードにおいて自己相関の立ち上がりが検出されると、最初の立ち上がりタイミングから現在の立ち上がりタイミングまでの間隔が、どのＧＩ比に対応したＯＦＤＭシンボル期間の積算値に最も近いかを判定し、最も近いと判定されたＧＩ比を検出する。所定時間経過後、受信装置は、検出された回数の多いモードとＧＩ比との組合せを選択する。また、受信装置では、選択した組合せに対するモードおよびＧＩ比が、受信したＯＦＤＭシンボルにおいて使用されているモードおよびＧＩ比であると特定する。
【００１９】
図１は、本発明の実施例に係る受信装置１００の構成を示す。受信装置１００は、アンテナ１０、ＲＦ部１２、モードＧＩ決定部１４、ガードインターバル除去部１６、ＦＦＴ部１８、伝送路推定部２０、等化部２２、内符号復号部２４、外符号復号部２６、制御部２８を含む。
【００２０】
アンテナ１０は、図示しない送信装置から無線信号を受信する。ここで、無線信号は、無線周波数帯に属し、前述のＯＦＤＭシンボルの繰り返しによって構成されている。ＯＦＤＭシンボルは、ガードインターバルと有効シンボルとによって形成される。図２は、受信装置１００にて処理されるＯＦＤＭシンボルの構成を示す。図２に示されるように、ＧＩと図示されるガードインターバルの後段に有効シンボルが配置されることによって、ひとつのＯＦＤＭシンボルが形成される。また、このようなＯＦＤＭシンボルが連続的に配置されている。ここで、ガードインターバルには、有効シンボルの後部の波形が複製されて使用される。また、ガードインターバル期間と有効シンボル期間が、図示のごとく示される。図１に戻る。
【００２１】
ガードインターバル期間と有効シンボル期間とがそれぞれ複数種類規定されてるが、ＯＦＤＭシンボルは、地上波ディジタルテレビジョン放送のＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ）規格に対応するものとする。そのため、有効シンボル期間として、２ｋモード、８ｋモードの２種類のモードが規定され、ガードインターバル期間として、１／４、１／８、１／１６、１／３２の４種類のＧＩ比が規定される。ここで、２ｋモードとは、ＩＦＦＴのポイント数が２０４８サンプルである場合に相当し、８ｋモードとは、ＩＦＦＴのポイント数が８１９２サンプルである場合に相当する。また、ＧＩ比は、有効シンボル期間に対する長さとして規定されており、例えば、ＧＩ比の「１／４」は、有効シンボル期間の１／４の長さに相当する。複数種類規定されたモードとＧＩ比の組合せによって、ＯＦＤＭシンボルの期間も複数種類規定される。
【００２２】
ＲＦ部１２は、アンテナ１０において順次受信したＯＦＤＭシンボルに対して、無線周波数帯からベースバンドへの周波数変換を実行する。また、ＲＦ部１２は、ベースバンドに周波数変換したＯＦＤＭシンボルに対して、アナログ−デジタル変換を実行する。その結果、ＲＦ部１２は、デジタル信号に変換されたＯＦＤＭシンボルを出力するが、以下、デジタル信号に変換されたＯＦＤＭシンボルも単にＯＦＤＭシンボルと呼ぶ。以上の構成の他に、ＲＦ部１２は、チューナ機能、増幅機能等も有するが、ここでは、それらの説明を省略する。
【００２３】
モードＧＩ決定部１４は、ＯＦＤＭシンボルを入力し、当該ＯＦＤＭシンボルに対して使用されているモードおよびＧＩ比を特定する。モードＧＩ決定部１４の詳細は後述するが、モードおよびＧＩ比の特定は、処理の初期段階においてなされる。ここで、処理の初期段階とは、チャンネルが新たに選択されたとき、つまり番組が新たに選択されたときに相当する。モードＧＩ決定部１４は、モードとＧＩ比を特定した後、それらを出力する。ガードインターバル除去部１６は、ＯＦＤＭシンボルからガードインターバルを除去する。ＦＦＴ部１８は、ガードインターバルが除去されたＯＦＤＭシンボル、つまり有効シンボルに対してフーリエ変換を実行し、周波数領域に変換された信号を出力する。その結果、サブキャリア単位に分離された信号が出力される。ガードインターバル除去部１６およびＦＦＴ部１８は、モードＧＩ決定部１４において特定したＧＩ比とモードとをもとに、ＯＦＤＭシンボルに対する処理を実行する。
【００２４】
伝送路推定部２０は、ＦＦＴ部１８において変換された周波数領域の信号をもとに、伝送路特性を推定する。ここで、伝送路特性は、サブキャリア単位に導出される。なお、伝送路特性の推定には、公知の技術が使用されればよいので、ここでは説明を省略するが、所定のサブキャリアに配置されたパイロット信号が伝送路特性の推定に使用される。等化部２２は、伝送路推定部２０において推定した伝送路特性をもとに、周波数領域の信号を復調する。復調もサブキャリア単位になされる。内符号復号部２４は、図示しない送信装置においてなされた内符号に対する復号を実行し、外符号復号部２６は、図示しない送信装置においてなされた外符号に対する復号を実行する。制御部２８は、受信装置１００全体のタイミング等を制御する。
【００２５】
この構成は、ハードウエア的には、任意のコンピュータのＣＰＵ、メモリ、その他のＬＳＩで実現でき、ソフトウエア的にはメモリにロードされた受信機能を有したプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２６】
図３は、モードＧＩ決定部１４の構成を示す。モードＧＩ決定部１４は、自己相関部３０、後段処理部３２を含む。なお、前述のごとく、モードおよびＧＩ比の特定は、番組の選択時になされればよいので、それに対応した期間においてモードＧＩ決定部１４は、動作する。モードＧＩ決定部１４が動作する期間の指示は、図示しない制御部２８によってなされるものとする。
【００２７】
自己相関部３０は、図示しないＲＦ部１２からＯＦＤＭシンボルを順次入力し、ＯＦＤＭシンボルの自己相関値を順次導出する。より具体的に説明すると、自己相関部３０は、入力したＯＦＤＭシンボルに対して遅延を実行しながら、入力したＯＦＤＭシンボルと遅延したＯＦＤＭシンボルとの自己相関値を導出する。また、遅延を実行する際の遅延量は、複数種類規定された有効シンボル期間のそれぞれに応じるものとする。ここでは、モードとして、２ｋモードと８ｋモードとが規定されているので、２０４８サンプルおよび８１９２サンプルの遅延量がなされる。また、自己相関部３０は、遅延量に応じた複数種類の自己相関値を順次導出する。その結果、自己相関部３０は、２ｋモードに対応した自己相関値と８ｋモードに対応した自己相関値とをそれぞれ順次出力する。
【００２８】
後段処理部３２は、２ｋモードに対応した自己相関値と８ｋモードに対応した自己相関値とを入力し、モードとＧＩ比とを特定する。後段処理部３２の処理の詳細は、後述する。また、後段処理部３２は、特定したモードとＧＩ比とを出力する。
【００２９】
図４は、自己相関部３０の構成を示す。自己相関部３０は、８１９２サンプルバッファ部４０、複素共役部４２、乗算部４４、２０４８サンプルバッファ部４６、加減算部４８、１サンプル遅延部５０、１サンプル遅延部５２、ＭＵＸ部５４、絶対値演算部５６、第１データラッチ部５８、第２データラッチ部６０を含む。
【００３０】
前述のごとく、自己相関部３０は、２ｋモードに対応した自己相関値と８ｋモードに対応した自己相関値とを導出するが、これら２種類の自己相関値は、時分割にて計算される。そのため、乗算部４４、加減算部４８等は、ＯＦＤＭシンボルのレートに対して、２倍のレートで動作する。その結果、所定のタイミングにおいて、２ｋモードに対応した自己相関値を導出するための動作（以下、「２ｋモード動作」という）が実行され、１／２サンプル後に、８ｋモードに対応した自己相関値を導出するための動作（以下、「８ｋモード動作」という）が実行される。なお、時分割の切替は、図示しない制御部２８からの指示によってなされるが、以下の説明において、時分割の切替の指示については、説明を省略する。
【００３１】
８１９２サンプルバッファ部４０は、ＯＦＤＭシンボルに含まれる各サンプルを記憶する。また、８１９２サンプルバッファ部４０は、時分割で、２０４８サンプル遅延させたサンプル、および８１９２サンプル遅延させたサンプルを出力する。その結果、８１９２サンプルバッファ部４０は、２ｋモード動作の際に、２０４８サンプル遅延させたサンプルを出力し、８ｋモード動作の際に、８１９２サンプル遅延させたサンプルを出力する。複素共役部４２は、入力したサンプルの複素共役を導出し、その結果を出力する。また、複素共役部４２には、サンプル間隔の入力がなされるので、複素共役部４２から出力される複素共役値では、サンプル間隔に値が変更する。
【００３２】
乗算部４４は、複素共役部４２からの複素共役値と８１９２サンプルバッファ部４０からのサンプルを複素乗算する。乗算部４４は、２ｋモードと８ｋモードのそれぞれに対応するように複素乗算を実行する。乗算部４４は、乗算結果を２０４８サンプルバッファ部４６と加減算部４８に出力する。２０４８サンプルバッファ部４６の少なくとも一部は、２ｋモードおよび８ｋモードでの最小移動平均窓にそれぞれ相当した６４アドレスと２５６アドレス領域に分割されている。また、２ｋモードに対する乗算結果は６４アドレス領域に保存され、８ｋモードに対する乗算結果は２５６アドレス領域に保存される。各アドレス領域ごとにＦＩＦＯ制御が行われ、６４アドレス領域からは６４サンプル遅延させたデータ、２５６アドレス領域からは２５６サンプル遅延させたデータが、時分割で読み出される。
【００３３】
２０４８サンプルバッファ部４６、加減算部４８、１サンプル遅延部５０、ＭＵＸ部５４では、乗算部４４での乗算結果に対する移動平均値が計算される。なお、それぞれの処理は、時分割にて実行されており、２ｋモード動作あるいは８モード動作に対応するようにタイミングの制御がなされる。絶対値演算部５６は、移動平均値を絶対値に変換する。第１データラッチ部５８は、２ｋモード動作の際に、絶対値演算部５６からの絶対値を保持し、第２データラッチ部６０は、８ｋモード動作の際に、絶対値演算部５６からの絶対値を保持する。ここで、第１データラッチ部５８に保持された移動平均値が、２ｋモードでの自己相関値（以下、「２ｋ自己相関値」という）に相当し、第２データラッチ部６０に保持された移動平均値が８ｋモードでの自己相関値（以下、「８ｋ自己相関値」という）に相当する。
【００３４】
図５は、後段処理部３２の構成を示す。後段処理部３２は、ピーク検出部７０と総称される第１ピーク検出部７０ａ、第２ピーク検出部７０ｂ、特定部７２を含む。また、特定部７２は、間隔カウンタ部７４と総称される第１間隔カウンタ部７４ａ、第２間隔カウンタ部７４ｂ、ＧＩ選択部７６と総称される第１ＧＩ選択部７６ａ、第２ＧＩ選択部７６ｂ、自己相関検出数カウンタ部７８と総称される第１自己相関検出数カウンタ部７８ａ、第２自己相関検出数カウンタ部７８ｂ、モードＧＩ判定部８０を含む。また、第１自己相関検出数カウンタ部７８ａは、自己相関検出数カウンタ１−１部８２、自己相関検出数カウンタ１−２部８４、自己相関検出数カウンタ１−３部８６、自己相関検出数カウンタ１−４部８８を含み、第２自己相関検出数カウンタ部７８ｂは、自己相関検出数カウンタ２−１部９０、自己相関検出数カウンタ２−２部９２、自己相関検出数カウンタ２−３部９４、自己相関検出数カウンタ２−４部９６を含む。
【００３５】
第１ピーク検出部７０ａは、２ｋモード自己相関値を順次入力し、第２ピーク検出部７０ｂは、８ｋモード自己相関値を順次入力する。第１ピーク検出部７０ａは、２ｋモード自己相関値のピークを順次検出し、第２ピーク検出部７０ｂは、８ｋモード自己相関値のピークを順次検出する。なお、第１ピーク検出部７０ａにおける処理内容と、第２ピーク検出部７０ｂにおける処理内容とは、同等であるので、ここでは、ピーク検出部７０と総称して説明する。そのように総称した場合、ピーク検出部７０は、順次導出した複数種類の自己相関値のそれぞれに対して、ピークを順次検出するといえる。
【００３６】
図６（ａ）−（ｂ）を使用しながら、ピーク検出部７０の具体的な処理を説明する。図６（ａ）−（ｂ）は、ピーク検出部７０の処理の概要を示す。図６（ａ）は、ピーク検出部７０に入力される自己相関値の時間変化を示す。図６（ａ）の左側が、ピーク検出部７０に新たに入力された自己相関値に相当する。また、図６（ａ）には、ふたつのピークが示されているが、これらは、隣接したＯＦＤＭシンボルに相当する。
【００３７】
図６（ｂ）は、図６（ａ）のうちの一部の期間に相当する。ここでは、一例として、ピーク近傍の期間が示される。ピーク検出部７０は、区間１から区間３のごとく、連続した複数の区間を規定する。区間１は、立ち上がり前の自己相関がない状態の持続を調べるための期間であり、区間２は、自己相関の立ち上がりを調べるための期間であり、区間３は、立ち上がりの持続を調べるための期間である。区間１から区間３の長さは、それぞれ異なっていてもよいし、同一の長さであってもよい。
【００３８】
シミュレーション結果によれば、区間１が長くなれば、ピークの検出精度が向上する。しかしながら、回路規模を考慮すると、１６サンプルから６４サンプル程度が現実的になる。その際、区間２は、８〜１６サンプル程度になる。また、検出精度を高めるために、区間３は、８ｋモードのようにサンプル数の多いモードでは長く、２ｋモードのようにサンプル数の少ないモードでは短くなる。例えば、各モードでのＧＩ比「１／３２」での期間の１／２程度の値が設定される。また、ピーク検出部７０は、複数の区間のそれぞれに含まれる自己相関値の平均値を導出する。例えば、区間１において自己相関値の平均値が導出され、区間２および区間３においても同様に導出される。
【００３９】
また、ピーク検出部７０は、複数の区間のそれぞれに対して異なった値のしきい値を規定する。例えば、図６（ｂ）のごとく、区間１に対して、レベルしきい値１が規定され、区間２および区間３に対しても同様に規定される。また、より新しいタイミング、つまり区間１に近づくほど、小さな値のしきい値が規定される。そのため、レベルしきい値１は、レベルしきい値２よりも小さく、レベルしきい値２は、レベルしきい値３よりも小さい。例えば、レベルしきい値３：レベルしきい値２：レベルしきい値１＝１．２５：１：０．５となるような関係が規定される。さらに、ピーク検出部７０は、平均値としきい値を比較する。具体的には、区間１における自己相関値の平均値とレベルしきい値１とが比較され、区間２および区間３においても同様の比較がなされる。
【００４０】
また、ピーク検出部７０は、より新しいタイミングに対応した区間において、平均値がしきい値以下になり、残りの区間において、平均値がしきい値より大きくなれば、ピークの検出とする。つまり、区間１における自己相関値の平均値がレベルしきい値１以下になり、区間２における自己相関値の平均値がレベルしきい値２よりも大きくなり、区間３における自己相関値の平均値がレベルしきい値３よりも大きくなった状態が、ピーク検出とされる。また、以上の条件が連続的に満たされる場合、最初に条件を満たした場合がピーク検出とされてもよい。図５に戻る。ピーク検出部７０は、ピーク検出したタイミングをＧＩ選択部７６に出力するとともに、最初にピーク検出したタイミングを間隔カウンタ部７４に出力する。
【００４１】
間隔カウンタ部７４は、ピークが検出されると、カウンタ値の積算を開始する。特に、積算の開始は、最初にピークが検出されたときになされる。間隔カウンタ部７４は、カウンタ値をＧＩ選択部７６に出力する。
【００４２】
ＧＩ選択部７６は、間隔カウンタ部７４において積算が開始されたカウンタ値を受けつけるとともに、ピーク検出部７０からピークが検出されたことを受けつける。また、ＧＩ選択部７６は、カウンタ値とピークとを対応づけることによって、ピークに対応したカウンタ値を導出する。また、ＧＩ選択部７６は、複数種類のＯＦＤＭシンボルの期間のそれぞれに応じたピークが出現すべきカウンタ値を順次予想する。つまり、複数種類のガードインターバル期間に、同一の有効シンボル期間が組み合わせることによって、複数種類のＯＦＤＭシンボル期間が規定され、それらに応じて、ピークが出現すべきカウンタ値が順次予想される。
【００４３】
例えば、第１ＧＩ選択部７６ａは、２ｋモードを対象にしているので、２０４８サンプルとＧＩ比「１／４」の組合せに対応した期間、２０４８サンプルとＧＩ比「１／８」の組合せに対応した期間、２０４８サンプルとＧＩ比「１／１６」の組合せに対応した期間、２０４８サンプルとＧＩ比「１／３２」の組合せに対応した期間が複数種類のＯＦＤＭシンボル期間として規定される。ＧＩ選択部７６は、順次予想したカウンタ値と、順次検出したピークのカウンタ値との近さをもとに、ＧＩ比を検出する。
【００４４】
図７を使用しながら、ＧＩ選択部７６の具体的な処理を説明する。図７は、ＧＩ選択部７６の処理の概要を示す。図７の最上段には、ピーク検出部７０において検出されたピークが示されている。また、矢印にて示されたタイミングでのカウンタ値が、検出されたピークのカウンタ値に相当する。「相関間隔ｉ−１」は、ＧＩ比「１／４」にて１ＯＦＤＭシンボル目でのピークが出現すべきカウンタ値に相当する。また、「相関間隔ｉ−２」は、ＧＩ比「１／８」にて１ＯＦＤＭシンボル目でのピークが出現すべきカウンタ値に相当する。また、「相関間隔ｉ−３」は、ＧＩ比「１／１６」にて１ＯＦＤＭシンボル目でのピークが出現すべきカウンタ値に相当する。また、「相関間隔ｉ−４」は、ＧＩ比「１／３２」にて１ＯＦＤＭシンボル目でのピークが出現すべきカウンタ値に相当する。なお、以上は、２ｋモードに相当する。
【００４５】
ＧＩ選択部７６では、カウンタ値が相関間隔１−１から相関間隔Ｎ−４のどの値に近く、かつ超えているかを調べる。カウンタ値が相関間隔１−１、相関間隔２−１、・・・、相関間隔Ｎ−１を超えていれば、ＧＩ比「１／４」が選択される。また、カウンタ値が相関間隔１−２、相関間隔２−２、・・・、相関間隔Ｎ−２を超えていれば、ＧＩ比「１／８」が選択されるされる。図７はこの場合を示している。また、カウンタ値が相関間隔１−３、相関間隔２−３、・・・、相関間隔Ｎ−３を超えていれば、ＧＩ比「１／１６」が選択される。また、カウンタ値が相関間隔１−４、相関間隔２−４、・・・、相関間隔Ｎ−４を超えていれば、ＧＩ比「１／３２」が選択される。図５に戻る。
【００４６】
第１自己相関検出数カウンタ部７８ａにおける自己相関検出数カウンタ１−１部８２から自己相関検出数カウンタ１−４部８８は、第１ＧＩ選択部７６ａでの選択結果をもとに、カウンタを増加させる。第１ＧＩ選択部７６ａにおいてＧＩ比「１／４」が選択されると、自己相関検出数カウンタ１−１部８２がインクリメントされる。また、第１ＧＩ選択部７６ａにおいてＧＩ比「１／８」、「１／１６」、「１／３２」がそれぞれ選択されると、自己相関検出数カウンタ１−２部８４、自己相関検出数カウンタ１−３部８６、自己相関検出数カウンタ１−４部８８がそれぞれインクリメントされる。つまり、自己相関検出数カウンタ１−１部８２から自己相関検出数カウンタ１−４部８８は、ＧＩ比「１／４」から「１／３２」のそれぞれが選択された数をカウントする。なお、以上の処理は、８ｋモードに対しても実行される。
【００４７】
図５に戻る。モードＧＩ判定部８０は、第１自己相関検出数カウンタ部７８ａから、２ｋモードでの各ＧＩ比に対応したカウンタ値を入力し、第２自己相関検出数カウンタ部７８ｂから、８ｋモードでの各ＧＩ比に対応したカウンタ値を入力する。モードＧＩ判定部８０は、入力した複数のカウンタ値の中から、最大の値を検出し、検出したカウンタ値に対応したモードとＧＩ比の組合せを特定する。その結果、ＯＦＤＭシンボルに対するガードインターバル期間と有効シンボル期間とが特定される。以上のように説明される後段処理部３２は、自己相関部３０において順次検出したピークのタイミングのそれぞれと、複数種類規定されたモードとＧＩ比との組合せによる複数種類のＯＦＤＭシンボルの期間とをもとに、順次受信したＯＦＤＭシンボルに対するガードインターバル期間と有効シンボル期間とを特定するといえる。
【００４８】
図８（ａ）−（ｂ）は、モードＧＩ決定部１４と比較される構成を示す。図８（ａ）は、第１判定部２００であり、図８（ｂ）は、第２判定部２０２である。第１判定部２００は、複素共役部２１０、２０４８サンプルバッファ部２１２、６１４４サンプルバッファ部２１４、乗算部２１６、乗算部２１８、６４サンプル移動平均部２２０、２５６サンプル移動平均部２２２、絶対値演算部２２４、絶対値演算部２２６、モード判定部２２８を含む。
【００４９】
第１判定部２００は、モードを決定する。複素共役部２１０、２０４８サンプルバッファ部２１２、乗算部２１６によって、２ｋモードでの自己相関値が順次導出され、６４サンプル移動平均部２２０において自己相関値の移動平均が実行される。また、絶対値演算部２２４では、移動平均値の絶対値が導出される。一方、複素共役部２１０、２０４８サンプルバッファ部２１２、６１４４サンプルバッファ部２１４、乗算部２１８は、８ｋモードでの自己相関値が導出され、２５６サンプル移動平均部２２２において自己相関値の移動平均が実行される。また、絶対値演算部２２６では、移動平均値の絶対値が導出される。モード判定部２２８は、絶対値演算部２２４と絶対値演算部２２６とから絶対値を入力し、両者の大きさを比較する。絶対値演算部２２４からの絶対値が、絶対値演算部２２６からの絶対値よりも大きい場合、モード判定部２２８は、２ｋモードを選択し、逆の場合、モード判定部２２８は、８ｋモードを選択する。
【００５０】
第２判定部２０２は、加算部２４０、加算部２４２、加算部２４４、加算部２４６、シンボルメモリ１部２４８、シンボルメモリ２部２５０、シンボルメモリ３部２５２、シンボルメモリ４部２５４、ピーク検出１部２５６、ピーク検出２部２５８、ピーク検出３部２６０、ピーク検出４部２６２、ＧＩ判定部２６４を含む。
【００５１】
第２判定部２０２は、ＧＩ比を決定する。第２判定部２０２は、第１判定部２００において決定されたモードに対応した自己相関値を入力する。つまり、第２判定部２０２は、第１判定部２００において２ｋモードと決定された場合、２ｋモードでの自己相関値を入力し、第１判定部２００において８ｋモードと決定された場合、８ｋモードでの自己相関値を入力する。シンボルメモリ１部２４８は、決定されたモードとＧＩ比「１／３２」の組合せにおけるＯＦＤＭシンボル期間の遅延を実行する。また、加算部２４０とシンボルメモリ１部２４８によって、ＧＩ比「１／３２」の場合における積算が実行される。同様に、加算部２４２とシンボルメモリ２部２５０によって、ＧＩ比「１／１６」の場合における積算が実行され、加算部２４４とシンボルメモリ３部２５２によって、ＧＩ比「１／８」の場合における積算が実行され、加算部２４６とシンボルメモリ４部２５４によって、ＧＩ比「１／４」の場合における積算が実行される。
【００５２】
なお、積算は、数ＯＦＤＭシンボルにわたってなされる。ここで、シンボルメモリ１部２４８からシンボルメモリ４部２５４によって最終的に出力される積算値は、第１値から第４値とそれぞれ呼ばれる。また、第１値から第４値は、それぞれに対応したＯＦＤＭシンボル期間でのサンプル数だけの成分を有する。ピーク検出１部２５６からピーク検出４部２６２は、第１値から第４値のそれぞれに対するピーク値を検出する。ＧＩ判定部２６４は、ピーク検出１部２５６からピーク検出４部２６２のそれぞれにおいて検出されたピーク値の大きさを比較し、最大のピーク値を選択する。ＧＩ判定部２６４は、選択したピーク値に対応したＧＩ比を出力する。
【００５３】
図３のモードＧＩ決定部１４の構成の代わりに、図８（ａ）−（ｂ）の構成が使用されている場合、シンボルメモリ１部２４８からシンボルメモリ４部２５４に対して、比較的大容量のメモリが必要となり、回路規模が増大する。また、モード選択後に、あらためてＧＩ比の選択が実行されるので、最終的にＧＩ比が選択されるまでの時間が長くなる。
【００５４】
本発明の実施例によれば、モードとＧＩ比を特定するために、検出した自己相関値のピークのタイミングと、複数種類のＯＦＤＭシンボルの期間とを使用しており、後者は予め定められているので、特定のための回路規模を低減できる。また、モードとＧＩ比を一括して特定するので、特定のための処理を短縮できる。また、複数種類のモードとＧＩ比との組合せに対して、同様の処理を実行すればよいので、簡易な処理を実現できる。また、複数の区間において平均値としきい値との比較を行うことによって、ピークを検出するので、検出精度を向上できる。また、自己相関値を導出するための回路を時分割にて処理するので、回路の共有化を実現できる。回路が共有化されるので、回路規模を低減できる。
【００５５】
また、区間毎に異なった値のしきい値を規定するので、ピーク検出の精度を向上できる。また、ピークの検出精度が向上するので、モードとＧＩ比の特定精度を向上できる。また、モードとＧＩ比を特定するために、カウンタ値を使用するので、回路規模を低減できる。また、モードとＧＩ比を判定するために、比較的小規模なカウンタを使用するので、回路規模を低減できる。また、回路規模が低減するので、コストを低減できる。また、自己相関値の立ち上がりタイミングのみに着目してＧＩ比に対する確からしさを判定しているため、マルチパスに対する耐性を向上できる。また、最初にモードを特定して、次にＧＩ比を特定するようなシーケンシャル処理でなく、両者を同時に特定するので、短期間で処理を完了できる。
【００５６】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５７】
本実施例において、受信装置１００は、地上波ディジタルテレビジョン放送の無線信号を受信するとしている。しかしながらこれに限らず例えば、受信装置１００は、ディジタルラジオ放送の無線信号を受信してもよい。本変形例によれば、さまざまなシステムに本発明を適用できる。
【００５８】
本実施例において、モードとして、２ｋモードと８ｋモードが規定されている。しかしながらこれに限らず例えば、さらに別のモードとして、ＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）４ｋモードが規定されてもよい。４ｋモードは、ひとつの有効シンボル期間が４０９６サンプルによって形成される。４ｋモードが加わる場合、２ｋモード、４ｋモード、８ｋモードが切りかわるような時分割の処理がなされればよい。本変形例によれば、さまざまなモード、ＧＩ比が規定されている場合でも、本発明を適用できる。
【図面の簡単な説明】
【００５９】
【図１】本発明の実施例に係る受信装置の構成を示す図である。
【図２】図１の受信装置にて処理されるＯＦＤＭシンボルの構成を示す図である。
【図３】図１のモードＧＩ決定部の構成を示す図である。
【図４】図３の自己相関部の構成を示す図である。
【図５】図３の後段処理部の構成を示す図である。
【図６】図６（ａ）−（ｂ）は、図５のピーク検出部の処理の概要を示す図である。
【図７】図５のＧＩ選択部の処理の概要を示す図である。
【図８】図８（ａ）−（ｂ）は、図３のモードＧＩ決定部と比較される構成を示す図である。
【符号の説明】
【００６０】
１０  アンテナ、  １２  ＲＦ部、  １４  モードＧＩ決定部、  １６  ガードインターバル除去部、  １８  ＦＦＴ部、  ２０  伝送路推定部、  ２２  等化部、  ２４  内符号復号部、  ２６  外符号復号部、  ２８  制御部、  １００  受信装置。
【図１】
2008085690.tif 000003
【図２】
2008085690.tif 000004
【図３】
2008085690.tif 000005
【図４】
2008085690.tif 000006
【図５】
2008085690.tif 000007
【図６】
2008085690.tif 000008
【図７】
2008085690.tif 000009
【図８】
2008085690.tif 000010